(57)【要約】      （修正有）【課題】簡単な構造で絵画、写真等の作品を簡易に展示できるとともに、展示される作品に合わせてこれを引き立たせることができる額縁相当の額を提供する。【解決手段】額10は、額本体11と、開口部25を備える枠板20とを有する額10であって、枠板20は、開口部25を囲む内周縁の明示帯と外周縁の明示帯が設けられており、額本体11の表面部を縁取るとともに開口部25を通して表示に供する作品30の周縁部を保持、固定するように額本体11に磁気吸着されてなる。【選択図】図１
0003133042.tif 000002
【実用新案登録請求の範囲】
【請求項１】
額本体と、開口部を備える枠板とを有する額であって、
前記枠板は、前記開口部を囲む内周縁及び外周縁に明示帯が設けられており、前記額本体の表面部を縁取るとともに前記開口部を通して表示に供する作品の周縁部を保持、固定するように額本体に磁気吸着されてなる額。
【請求項２】
枠板は、その外周縁と額本体の外周縁との間に1〜1.5cmの隙間帯を有することを特徴とする請求項１に記載の額。
【請求項３】
明示帯の幅は1〜2mmであることを特徴とする請求項１又は２に記載の額。
【考案の詳細な説明】
【技術分野】
【０００１】
本考案は、額本体に磁気吸着される枠板により、絵画、写真等を額本体表面部に保持、固定するとともに額本体の縁を構成させるようにした額に関する。
【背景技術】
【０００２】
絵画、写真を美術館等において観賞に供し、また作品発表を行う場合は、その作品に応じた額縁を用いて展示されるのが通常である。これは額縁の善し悪しが展示される絵画、写真等の作品に与えられる評価を左右する場合があるからであるが、個々の作品ごとに額縁を用意することは経済性、展示場所等を考慮すると困難な場合も多い。特に、家庭、ホテルあるいは個人的な作品発表会等において困難な場合が多い。
【０００３】
このような問題に対し、簡単な構造で絵画、写真等を簡易に展示できるとともに、展示される絵画、写真を引き立たせることができるような額縁又は額縁相当の額が求められる。そのような額縁相当のものとして、例えば、特許文献１に、裏面を帯磁させた展示対象物とこれを磁着させる板状体の額からなる装飾額であって、展示対象物の外縁に帯状の枠部を設け、その枠部の模様、色調と板状体の額の表面の模様、色調と調和させた装飾額が提案されている。
【０００４】
また、特許文献２に、中に収める写真やイラストなどのムードや、部屋のインテリアなどに応じて額縁の色彩や模様を変えて使うことができるようにした額縁として、周囲枠の前面に一定幅と深さを有する周溝を設けてなる額縁本体と、この周溝に嵌合した縁材とからなり、縁材は周溝を複数分割した複数個の分割縁材によって形成され、これらの分割縁材を磁石によって上記周溝に着脱自在に装着してなる額縁が提案されている。
【０００５】
特許文献３には、全体に略板状を呈し、透明又は半透明素材により略ポケット状に形成されたカードケースからなるケース本体部と、該ケース本体部における表面の外周に所定幅に枠状に設けられた枠状部と、を有する額状ケースが提案されている。そして、この額状ケースには、ケース本体部に枠状部が設けられているため、カードケース内に挿入した掲示物が額縁に入っているように見える効果があることが記載されている。
【０００６】
【特許文献１】特開2002-205498号公報
【特許文献２】登録実用新案第3032013号公報
【特許文献３】特開2002-10892号公報
【考案の開示】
【考案が解決しようとする課題】
【０００７】
しかしながら、特許文献１に提案されている装飾額は、簡単な構造で絵画、写真等を簡易に展示することができ、家庭において季節、趣味等種々の好みに合わせて絵画、写真等を楽しむことができるが、それらの作品を引き立たせるような額縁の効果を得ることは難しい。これに対し、特許文献２に提案されている額縁は、作品に合わせた額縁を容易に構成することができる効果はあるが、通常の額縁と同等の複雑な構造である点で経済性、展示場所等を考慮せざるを得ない場合に問題がある。特許文献３に提案されている額状ケースは、額縁相当部分を有するが、作品を引き立たせるような額縁の効果を得るのは構造的に困難であるという問題がある。
【０００８】
本考案は、係る従来の問題点に鑑み、簡単な構造で絵画、写真等の作品を簡易に展示できるとともに、展示される作品に合わせてこれを引き立たせることができる額縁相当の額を提供することを目的とする。
【課題を解決するための手段】
【０００９】
本考案に係る額は、額本体と、開口部を備える枠板とを有する額であって、前記枠板は、前記開口部を囲む内周縁及び外周縁に明示帯が設けられており、前記額本体の表面部を縁取るとともに前記開口部を通して表示に供する作品の周縁部を保持、固定するように額本体に磁気吸着されてなるものである。
【００１０】
上記考案において、枠板は、その外周縁と額本体の外周縁との間に1〜1.5cmの隙間帯を有するのがよく、明示帯の幅は1〜2mmであるのがよい。
【考案の効果】
【００１１】
本考案に係る額は、簡単な構造で絵画、写真等の作品を簡易に展示することができる。そして、展示される作品に合わせてこれを引き立たせることができる額縁相当の効果を有する。
【考案を実施するための最良の形態】
【００１２】
以下、本考案を実施するための最良の形態について図面を基に説明する。図１は、本考案に係る額の構成を示す模式図である。図１（ａ）が正面図であり、図１（ｂ）が、図１（ａ）のAA断面図である。本考案に係る額10は、図１に示すように、額本体11と、開口部25を備える枠板20とを有している。
【００１３】
額本体11は、図１に示すように、その表面部に絵画、写真等の作品30を保持・固定し、展示・鑑賞に供することができる形状、大きさのものであればよい。例えば、矩形形状の作品30の場合、額本体11を作品30の外形よりも少し大きい矩形、平板状のものとすることができる。この場合は、経済的で簡単な構造の額10を構成することができる。
【００１４】
また、額本体11は、その表面部に枠板20を容易に取り付け、固定するため、例えば、額本体11の表面部を鉄板とその上面を覆う鳥の子紙で構成することができる。これにより、図１に示すように、所要箇所にシート状のプラスチック又はラバー製の磁石27が貼着された枠板20を額本体11の表面部に容易に取り付け、固定することができるようになり、さらに、鳥の子紙により品質感のある額を構成することができる。
【００１５】
枠板20は、板形状をしており、上述のように開口部25を有する。そして、さらに、図２に示すように、枠板20の表面部には開口部25を囲む内周縁に明示帯23と、外周縁にも明示帯24とが設けられ、裏面部には複数個の磁石27が貼着されている。この磁石27により、枠板20は、鉄板が埋め込まれた額本体11の所要箇所に容易に取り付けられ、固定されるようになる。なお、本考案においては、このように、磁力を利用して枠板20を額本体11に取り付け、固定できるものであればよく、額本体11側に磁石27を取り付け、枠板20を鉄板製にすることもできる。
【００１６】
本考案においては、図１（ａ）に示すように、この磁石27により枠板20が額本体11に磁気吸着される力を利用して、作品30の周縁部を枠板20と額本体11の表面部とで挟み込み作品30を額本体11の表面部に保持、固定する。このため、枠板20の開口部25は、作品30の周縁部を枠板20と額本体11の表面部とで挟み込んで保持、固定することができ、作品30をその開口部25を通じて表示することができる最も適した形状、大きさに決められる。
【００１７】
また、本考案において、枠板20は、上述のように、枠板20の表面部に開口部25を囲む内周縁の明示帯23と、外周縁の明示帯24とが設けられている。この明示帯23、24によって板形状の枠板20を有する額10が、作品30を引き立たせ、高価な額縁相当になる効果を有する。このような効果を発揮させるには、明示帯23、24の幅は、1〜2mmであるのがよい。また、明示帯23、24の色彩も重要であり、例えば、枠板20の主要部が黒色である場合は、明示帯23、24の色彩は白色にしてその周囲とは明示され、アイラインのような効果を発揮させるのがよい。なお、枠板20の主要部の色彩は、額本体11及び作品30の色彩を考慮して決められる。枠板20の主要部及び明示帯23、24の色彩を効果的なものにするには鳥の子紙を使用するのがよい。これにより、色彩的に、作品を引き立たせ、額縁効果の高い額10を構成することができる。
【００１８】
また、作品30を引き立たせる額縁相当の効果を発揮させるには、枠板20の大きさは、枠板20の外周縁と額本体11の外周縁との間に1〜1.5cmの隙間帯が生ずる程度に、額本体11より少し小さめにするのがよい。この隙間帯が存在することによって、額10は、さらに額縁のように観察されるようになる。
【００１９】
以上、本考案にかかる額について説明した。本考案に係る額は、額本体11に枠板20を磁気吸着させることにより、作品30を額本体11の表面部に保持、固定するとともに、枠板20に額縁の効果を発揮させるようになっている。このため、作品30に合わせた枠板20を容易に構成し、必要に応じて交換することができ、また、種々の作品30に応じて作品30ごとに好ましい枠板20を容易に準備することができる。また、簡単な構造をしており、経済性に優れ、額の設置場所の選択範囲を拡大することができる。
【図面の簡単な説明】
【００２０】
【図１】本考案に係る額の構成を説明する模式図である。
【図２】図１の枠板の拡大図である。
【符号の説明】
【００２１】
10    額
11    額本体
20    枠板
23、24    明示帯
25    開口部
27    磁石
30    作品
【図１】
0003133042.tif 000003
【図２】
0003133042.tif 000004